(57)【要約】【課題】浴室内の空気中に含まれる酸素の濃度を測定するセンサーが無く、浴室内の酸素濃度が不足したり過剰になったりしていた。【解決手段】ポンプ１８により浴槽２１の湯が循環する追い焚き循環回路２０と、前記浴槽２１に設けた追い焚きアダプタ２２と、高濃度の酸素を供給する酸素富化装置２６と、前記酸素富化装置２６からの高濃度の酸素を追い焚き循環回路２０に混入させる混入手段２７と、浴室内に設けられた給湯装置のリモコン２９と、前記追い焚き循環回路２０に混入させた高濃度の酸素を前記追い焚きアダプタ２２より噴出させる構成とし、前記リモコン２９に酸素の濃度を測定するセンサー３０を設けたものである。【選択図】  図１
2004321382.tif 000002
【特許請求の範囲】
【請求項１】
ポンプにより浴槽の湯を循環する追い焚き循環回路と、前記浴槽に設けた追い焚きアダプタと、高濃度の酸素を供給する酸素富化装置と、前記酸素富化装置からの高濃度の酸素を追い焚き循環回路に混入させる混入手段と、浴室内の酸素濃度を測定するセンサーを備えたリモコンを有し、前記追い焚き循環回路に混入させた高濃度の酸素を前記追い焚きアダプタより噴出させる構成とした酸素富化給湯装置。
【請求項２】
ポンプにより浴槽の湯を循環する追い焚き循環回路と、前記浴槽に設けた追い焚きアダプタと、高濃度の酸素を供給する酸素富化装置と、前記酸素富化装置からの高濃度の酸素を追い焚き循環回路に混入させる混入手段と、浴室内の二酸化炭素濃度を測定するセンサーを備えたリモコンを有し、前記追い焚き循環回路に混入させた高濃度の酸素を前記追い焚きアダプタより噴出させる構成とした酸素富化給湯装置。
【請求項３】
リモコンの表示部に酸素濃度、または二酸化炭素濃度を表示する構成とした請求項１または２記載の酸素富化給湯装置。
【請求項４】
リモコンは無線式リモコンとした請求項１〜３のいずれか１項記載の酸素富化給湯装置。
【請求項５】
酸素濃度をセンサーで測定して、常に一定の酸素濃度になるように酸素を混入する量を制御する構成とした請求項１記載の酸素富化給湯装置。
【請求項６】
混入手段の上流側に弁を設けて混入する酸素の量を制御する構成とした請求項１または５記載の酸素富化給湯装置。
【発明の詳細な説明】
【０００１】
【発明の属する技術分野】
本発明は追焚き循環回路を有する給湯器の追焚き配管を利用して、浴槽内の浴水中に酸素を供給する機能を有する給湯装置に関するものである。
【０００２】
【従来の技術】
従来、この種の酸素供給装置は図３に示すように、ジェットバス等の浴槽１に浴槽水を循環させる管路２に気体を供給する供給部３を設け、この供給部３に酸素富化空気を供給するための酸素富化装置７を設けることで、循環ポンプ８により吸入口４から吸入した浴槽水を循環させ、その途中で酸素富化装置７より供給される気体を混入させて吐出口５より浴槽１内に供給するようにしている（例えば特許文献１参照）。
【０００３】
【特許文献１】
特開平４−２３４７号公報
【０００４】
【発明が解決しようとする課題】
しかしながら上記従来の構成では、浴室内の空気中に含まれる酸素の濃度を測定するセンサーが無く供給する酸素の量を制御していなかった。そして浴室内で人が呼吸をして酸素が消費されたり浴室からの人の出入りによって浴室内の酸素の濃度が変化しても、酸素富化装置が酸素供給量を増減することがなく常に一定の酸素を供給していたため、浴室内の酸素濃度が不足したり過剰になったりするという課題を有していた。
【０００５】
本発明は上記従来の課題を解決するもので、浴室内に設置される給湯装置のリモコンに酸素濃度を測定するセンサーを設け、浴室内の酸素濃度を常に測定することにより、安定した浴室内の酸素濃度の空気を供給可能な装置を提供することを目的とする。
【０００６】
【発明を解決するための手段】
上記従来の課題を解決するため本発明の酸素富化給湯装置は、ポンプにより浴槽の湯を循環する追い焚き循環回路と、前記浴槽に設けた追い焚きアダプタと、高濃度の酸素を供給する酸素富化装置と、前記酸素富化装置からの高濃度の酸素を追い焚き循環回路に混入させる混入手段と、浴室内の酸素濃度を測定するセンサーを備えたリモコンを有し、前記追い焚き循環回路に混入させた高濃度の酸素を前記追い焚きアダプタより噴出させる構成としたものである。
【０００７】
上記発明によれば、常に浴室内の酸素の濃度の測定を行い、追い焚きアダプタより噴出させる高濃度の酸素を調整することで浴室内の酸素濃度を適正な値に安定して保つことができる。
【０００８】
【発明の実施の形態】
請求項１に記載の発明は、ポンプにより浴槽の湯を循環する追い焚き循環回路と、前記浴槽に設けた追い焚きアダプタと、高濃度の酸素を供給する酸素富化装置と、前記酸素富化装置からの高濃度の酸素を追い焚き循環回路に混入させる混入手段と、浴室内の酸素濃度を測定するセンサーを備えたリモコンを有し、前記追い焚き循環回路に混入させた高濃度の酸素を前記追い焚きアダプタより噴出させる構成としたことを特徴とするものであり、混入手段によって酸素富化装置からの高濃度の酸素は追焚き配管の中に混入され、浴槽に取り付けた追い焚きアダプタより気泡となって浴槽水の中を通過し、浴室内に充満するようになるが、浴室内に設けられた給湯装置のリモコンの酸素濃度を測定するセンサーが浴室内の酸素の濃度を測定を測定する。この結果、浴室内の酸素の濃度を測定することにより、呼吸や浴室からの人の出入りによって酸素の濃度が変化しても、酸素富化装置の酸素供給量を増減させ、求められる安定した酸素濃度を供給することが可能となる。そしてこの給湯装置のリモコンに酸素の濃度を測定するセンサーを内蔵する構成にすれば、別体のセンサー専用のケースや配線も不要となり、より安価に作成できる。
【０００９】
請求項２に記載の発明は、酸素濃度を測定するセンサーの代りに、二酸化炭素濃度を測定するセンサーをリモコンに備えたことを特徴とするものであり、空気中の酸素の濃度は二酸化炭素の濃度を測定することにより推定できるため、比較的高価な酸素濃度を測定するセンサーを使わず、より安価に作成できる。
請求項３に記載の発明は、リモコンの表示部に酸素濃度、または二酸化炭素濃度を表示する構成としたもので、入浴している人は浴室内の空気の酸素濃度がわかり、酸素富化装置の酸素供給量を調整することにより、所望の酸素濃度を得ることができる。
【００１０】
請求項４に記載の発明は、無線式リモコンとすることで、リモコンを浴室内で自由に設置・移設ができるため、洗い場や浴槽の直上など入浴している人が望む任意の場所の酸素の濃度を測定することができる。
【００１１】
請求項５に記載の発明は、リモコンが測定した浴室内の酸素の濃度に応じて、浴室内の酸素濃度が一定となるように酸素富化装置の酸素供給量を増減させる制御を行う構成としたものである。この結果、人の出入りなどで浴室内の酸素濃度が減少しても自動的に酸素富化装置の酸素供給量が増やされ浴室内の酸素濃度は回復する。また浴室を閉め切っていても酸素が供給過剰となり酸素の濃度が過剰となることはない。
【００１２】
請求項６に記載の発明は、混入装置の上流に弁を設け、酸素を混入する量を制御する構成としたものである。この構成により酸素富化装置は簡単な構成で混入する酸素の量を制御できるようになる。
【００１３】
（実施例）
図１は、本発明の第１の実施例における酸素富化給湯装置の全体構成図を示すものである。９は給湯装置本体、１０は熱交換器１２を加熱するバーナ、１１はバーナ１２に燃焼空気を送るバーナファン、１３は燃焼空気の排気口、１４は給湯回路で、給湯入口１５から入った水が熱交換器１２で加熱されて給湯出口１６から出、カラン１７等から吐出される。１８は、追い焚き循環回路２０に設けられた風呂ポンプで、これから出た循環水はパイプ１９を通りながら熱交換器１２で加熱された後、混入手段２７で酸素富化空気を混入される。２１は浴槽で２２は追い焚きアダプタである。２３は酸素富化膜、２４は空気を減圧して酸素富化膜の間に空気を通し、高酸素濃度の空気を得るための真空ポンプ、２５は酸素富化膜に新鮮空気を送るための送風ファンであり、この２３、２４、２５の３つで酸素富化装置２６を構成している。この真空ポンプ２４は酸素富化膜の下流側に配置されているので、酸素富化装置の薄い膜がフィルターの役目をし、真空ポンプにごみが詰まる恐れが無く真空ポンプ用のフィルターは不要である。
【００１４】
図２は、本発明の第１の実施例における酸素富化給湯装置のリモコンの構成を示すものである。２９は浴室内に設置される給湯装置本体９のリモコンで、そのリモコン２９には酸素濃度を測定するセンサーあるいは二酸化炭素の濃度を測定するセンサー３０が内蔵され、かつそのセンサー３０で測定された酸素濃度あるいは二酸化炭素の濃度より換算、推定された酸素の濃度を表示する表示部３１が設けられている。
【００１５】
以上のように構成された酸素富化給湯装置について、以下その動作・作用を説明する。
【００１６】
混入手段２７によって酸素富化装置２６からの高濃度の酸素は追焚き回路２０の中の湯または水に混入され、この酸素が混入された湯または水が浴槽２１に取りつけた追焚きアダプタ２２から噴出するときに、高濃度の酸素が気泡２８となって浴槽水の中を通過し、その後浴室内に充満するようになる。そして浴室内に設置されたリモコン２９に内蔵のセンサー３０で測定された酸素濃度あるいは二酸化炭素の濃度より酸素の濃度が換算・推定され、入浴している人はリモコン２９の表示部３１を見ることにより浴室内の酸素の濃度がわかる。その表示をみて酸素富化装置２６の運転を調整して浴室内の空気の酸素の濃度を一定にすることができる。そして、このリモコン２９に酸素濃度あるいは二酸化炭素の濃度を測定するセンサー３０を内蔵し表示部３１を設けた構成としたので、別体のセンサー専用のケースや配線も不要となる。また、二酸化炭素の濃度より酸素の濃度を換算・推定する構成とした場合は、比較的高価な酸素の濃度を測定するセンサーが不要でより安価に作成できる。なお、リモコン２９に酸素富化装置２６の運転を調整するスイッチ３２を設ければより利便性を高めることができる。また、リモコン２９と給湯装置本体９の接続を電波通信や赤外線通信で行う無線方式としたので、リモコンを浴室内で自由に設置・移設ができるため、洗い場や浴槽の直上など入浴している人が望む場所の酸素の濃度を測定することができる。
【００１７】
また、リモコン２９が測定した酸素の濃度に応じて、浴室内の酸素の濃度が常に一定であるようにリモコン２９が測定した浴室内の酸素の濃度に応じて、浴室内の酸素濃度が一定となるように酸素富化装置２６の酸素供給量を増減させる制御を行う構成としているので、人の出入りなどで浴室内の酸素濃度が減少しても、リモコン２９に内蔵されたセンサー３０が酸素の濃度の変化を捉え自動的に酸素富化装置２６の酸素供給量が増やされ浴室内の酸素濃度は回復する。逆に浴室を閉め切られて酸素の濃度が上昇しても、自動的に酸素富化装置２６の酸素供給量が減らされ酸素の濃度が過剰となることはない。
【００１８】
また、混入装置の上流に弁３３を設け、酸素を混入する量を制御する構成としたものである。この構成により酸素富化装置は簡単な構成で混入する酸素の量を制御できるようになる。
【００１９】
【発明の効果】
以上のように本発明によれば、浴室内設置される酸素富化給湯装置のリモコンに二酸化炭素の濃度を測定するセンサーと、その二酸化炭素の濃度より換算・推定された酸素濃度を表示する表示部を設けたことにより、入浴中の人が酸素富化装置の運転を調整して浴室内の酸素濃度を一定にすることができる。またこの構成であれば、比較的高価な酸素の濃度を測定するセンサーも、センサー専用の余分なケースや給湯装置本体との配線も不用となり、安価に製作することが可能となるため一般家庭への設置も可能となるものである。
【図面の簡単な説明】
【図１】本発明の実施例１における酸素富化給湯装置の全体構成図
【図２】同酸素富化給湯装置のリモコンの構成図
【図３】従来例における酸素供給装置の全体構成図
【符号の説明】
１８  ポンプ
２０  追焚き循環回路
２１  浴槽
２２  追焚きアダプタ
２６  酸素富化装置
２７  混入手段
２９  リモコン
３０  センサー（酸素濃度を測定するセンサー）
３１  表示部
【図１】
2004321382.tif 000003
【図２】
2004321382.tif 000004
【図３】
2004321382.tif 000005